(57)【要約】【課題】プローブ全体をきわめて細く形成した場合でも、先端に熱線を繋いだ配線ケーブルが受けるノイズの影響を殆どもしくは全くなくして、流体の流速を高精度に測定することができるようにすることにある。【解決手段】抵抗ブリッジの同一極側の２つの抵抗のうちの一つを、先端に熱線を繋いだ配線ケーブルを含むものとし、その熱線を流れ方向と交差する方向に流体内に配置して通電により発熱させ、流体の流速に比例した熱線の冷却による抵抗変化を計測することで流体の流速を測定する熱線流速計において、前記抵抗ブリッジの同一極側の２つの抵抗のうちの他の一つを、前記先端に熱線を繋いだ配線ケーブルに沿わせてその熱線の近くまで延在させた先端を回路的に閉じた配線ケーブルを含むものとしたことを特徴とする熱線流速計である。【選択図】図５
2015125289.tif 000002
【特許請求の範囲】
【請求項１】
抵抗ブリッジの同一極側の２つの抵抗のうちの一つを、先端に熱線を繋いだ配線ケーブルを含むものとし、その熱線を流れ方向と交差する方向に延在させて流体内に配置して通電により発熱させ、流体の流速に比例した熱線の冷却による抵抗変化を計測することで流体の流速を測定する熱線流速計において、
前記抵抗ブリッジの同一極側の２つの抵抗のうちの他の一つを、前記先端に熱線を繋いだ配線ケーブルに沿わせてその熱線の近くまで延在させた、先端を回路的に閉じた配線ケーブルを含むものとしたことを特徴とする熱線流速計。
【請求項２】
抵抗ブリッジの同一極側の２つの抵抗のうちの一つを、先端に熱線を繋いだ配線ケーブルを含むものとし、その熱線を流れ方向と交差する方向に延在させて血流内に配置して通電により発熱させ、血流速に比例した熱線の冷却による抵抗変化を計測することで血流速を測定する血流速計において、
前記抵抗ブリッジの同一極側の２つの抵抗のうちの他の一つを、前記先端に熱線を繋いだ配線ケーブルに沿わせてその熱線の近くまで延在させた、先端を回路的に閉じた配線ケーブルを含むものとし、
血管内に挿入されるスリーブ内に前記先端に熱線を繋いだ配線ケーブルと前記先端を閉じた配線ケーブルとを収容するとともに前記熱線をそのスリーブの先端部に絶縁状態で配置してカテーテル型プローブを構成したことを特徴とする血流速計。
【請求項３】
前記配線ケーブルは、ツイスト線であることを特徴とする請求項１または２記載の血流速計。
【請求項４】
前記配線ケーブルは、フッ素樹脂のコーティングを施したチタン線であることを特徴とする請求項１または２記載の血流速計。
【発明の詳細な説明】
【技術分野】
【０００１】
この発明は、熱線流速計およびそれを用いた血流速計に関するものである。
【背景技術】
【０００２】
熱線流速計は通常、例えば特許文献１に記載のように、抵抗ブリッジを組んだ４つの抵抗のうちの一つを、先端に例えば白金等の熱線を繋いだ配線ケーブルとし、その熱線を流れ方向と交差する方向に延在させて流体内に配置して通電により発熱させ、流体の流速に比例した熱線の冷却による抵抗変化を計測することで、流体の流速を測定している。【０００３】
ところで、上記のような構成を有する熱線流速計は、極めて高感度であるとともに外径をきわめて細く形成することが可能であるため、例えばカテーテル型プローブとして血管内に挿入することで血流速を計測することも考えられる。
【先行技術文献】
【特許文献】
【０００４】
【特許文献１】特開２０００−２６６７７３号公報
【発明の概要】
【発明が解決しようとする課題】
【０００５】
しかしながら、上記従来の熱線流速計の構成のままでプローブ全体をきわめて細く形成すると、そのプローブ内を通る、先端に熱線を繋いだ配線ケーブルも極めて細くなって、その配線ケーブルが外部環境の影響をノイズとして高感度に受けてしまうという問題が生ずる。
【課題を解決するための手段】
【０００６】
この発明は上記従来の熱線流速計の課題を有利に解決するものであり、この発明の熱線流速計は、抵抗ブリッジの同一極側の２つの抵抗のうちの一つを、先端に熱線を繋いだ配線ケーブルを含むものとし、その熱線を流れ方向と交差する方向に延在させて流体内に配置して通電により発熱させ、流体の流速に比例した熱線の冷却による抵抗変化を計測することで流体の流速を測定する熱線流速計において、
前記抵抗ブリッジの同一極側の２つの抵抗のうちの他の一つを、前記先端に熱線を繋いだ配線ケーブルに沿わせてその熱線の近くまで延在させた、先端を回路的に閉じた配線ケーブルを含むものとしたことを特徴とするものである。【０００７】
そしてこの発明の血流速計は、抵抗ブリッジの同一極側の２つの抵抗のうちの一つを、先端に熱線を繋いだ配線ケーブルを含むものとし、その熱線を流れ方向と交差する方向に延在させて血流内に配置して通電により発熱させ、血流速に比例した熱線の冷却による抵抗変化を計測することで血流速を測定する血流速計において、
前記抵抗ブリッジの同一極側の２つの抵抗のうちの他の一つを、前記先端に熱線を繋いだ配線ケーブルに沿わせてその熱線の近くまで延在させた、先端を回路的に閉じた配線ケーブルを含むものとし、
血管内に挿入されるスリーブ内に前記先端に熱線を繋いだ配線ケーブルと前記先端を閉じた配線ケーブルとを収容するとともに前記熱線をそのスリーブの先端部に絶縁状態で配置してカテーテル型プローブを構成したことを特徴とするものである。
【発明の効果】
【０００８】
かかるこの発明の熱線流速計にあっては、抵抗ブリッジを組んだ４つの抵抗のうちの、同一極側の２つの抵抗のうちの一つを、先端に熱線を繋いだ配線ケーブルを含むものとするとともに、前記抵抗ブリッジの同一極側の２つの抵抗のうちの他の一つを、前記先端に熱線を繋いだ配線ケーブルに沿わせてその熱線の近くまで延在させた、先端を回路的に閉じた配線ケーブルを含むものとしたため、その熱線を流れ方向と交差する方向に延在させて流体内に配置して通電により発熱させ、流体の流速に比例した熱線の冷却による抵抗変化を計測することで流体の流速を測定する際に、先端に熱線を繋いだ側の配線ケーブルと先端を閉じた側の配線ケーブルとが互いに同程度に流体等の外部環境の影響をノイズとして受けるので、抵抗ブリッジ内でそれらのノイズが実質的に相殺される。【０００９】
従って、この発明の熱線流速計によれば、細管内の流体の流速等の計測のためにプローブ全体をきわめて細く形成した場合でも、先端に熱線を繋いだ配線ケーブルが受けるノイズの影響を殆どもしくは全くなくして、流体の流速を高精度に測定することができる。【００１０】
また、この発明の血流速計にあっては、抵抗ブリッジの同一極側の２つの抵抗のうちの一つを、先端に熱線を繋いだ配線ケーブルを含むものとするとともに、前記抵抗ブリッジを組んだ４つの抵抗のうちの、同一極側の２つの抵抗のうちの他の一つを、前記先端に熱線を繋いだ配線ケーブルに沿わせてその熱線の近くまで延在させた、先端を回路的に閉じた配線ケーブルを含むものとしたため、血管内に挿入されるスリーブ内に前記先端に熱線を繋いだ配線ケーブルと前記先端を閉じた配線ケーブルとを収容するとともに前記熱線をそのスリーブの先端部に絶縁状態で配置してカテーテル型プローブを構成し、その熱線を血流方向と交差する方向に延在させて血管内に配置して通電により発熱させ、血流速に比例した熱線の冷却による抵抗変化を計測することで血流速を測定する際に、先端に熱線を繋いだ配線ケーブルと先端を閉じた配線ケーブルとが互いに同程度に血流等の外部環境の影響をノイズとして受けるので、抵抗ブリッジ内でそれらのノイズが実質的に相殺される。【００１１】
従って、この発明の血流速計によれば、プローブ全体をきわめて細く形成してカテーテル型プローブを構成した場合でも、先端に熱線を繋いだ配線ケーブルが受けるノイズの影響を殆どもしくは全くなくして、血流速を高精度に測定することができる。【００１２】
なお、この発明の血流速計においては、前記配線ケーブルはツイスト線（縒り線）であると、先端に熱線を繋いだ配線ケーブルと先端を閉じた配線ケーブルとがスリーブ内で互いに密接して、それらの配線ケーブルが受ける血流等の外部環境の影響がより良く一致するようになることから、抵抗ブリッジ内でそれらの配線ケーブルが受けるノイズをより有効に相殺することができるので好ましい。【００１３】
また、この発明の血流速計においては、前記配線ケーブルはポリテトラフルオロエチレン等のフッ素樹脂のコーティングを施したチタン線であると、コーティングの低摩擦性により配線ケーブルがスリーブ内で円滑に動けるためカテーテル型プローブの血管内への挿入が円滑になるとともに、コーティングの絶縁性により配線ケーブル同士の短絡も防止できるので好ましい。
【図面の簡単な説明】
【００１４】
【図１】（ａ）は、本発明の熱線流速計の一実施形態を模式的に示す説明図であり、（ｂ）は、本発明の熱線流速計の他の一実施形態を模式的に示す説明図である。
【図２】（ａ）は、上記した先の実施形態の熱線流速計を適用した、本発明の血流速計の一実施形態を模式的に示す説明図、（ｂ）は、（ａ）中のカテーテル型プローブの先端部を含むＡ部を拡大して示す側面図、（ｃ）は、（ａ）中のカテーテル型プローブのスリーブを含むＢ部を拡大して示す縦断面図、（ｄ）は、この実施形態の血流速計の一変形例を示す説明図である。
【図３】（ａ）は、図２（ｂ）中の先端部の構成例を拡大して示す縦断面図、（ｂ）は、図２（ｃ）中のスリーブの構成例を拡大して示す斜視図、（ｃ）は、図２（ｃ）中の配線ケーブルの構成例を拡大して示す縦断面図である。
【図４】（ａ）は、図２（ｃ）中のスリーブ内の配線ケーブルの配置例を拡大して示す横断面図、（ｂ）は、その配線ケーブルの構成例を拡大して示す横断面図である。
【図５】上記実施形態の血流速計の回路構成を示す説明図である。
【図６】図２（ｃ）に示すスリーブ内の配線ケーブルの一変形例を拡大して示す斜視図である。
【発明を実施するための形態】
【００１５】
以下、本発明の実施の形態を実施例によって、図面に基づき詳細に説明する。ここに、図１（ａ）は、本発明の熱線流速計の一実施形態を模式的に示す説明図である。この実施形態の熱線流速計は、抵抗ブリッジを組んだ４つの抵抗Ｒ１，Ｒ２，Ｒ３，Ｒ４のうち、同一極であるグランド側の２つの抵抗Ｒ３，Ｒ４のうちの一つである抵抗Ｒ３を、先端にコイル状の熱線ＨＷを繋いだ配線ケーブルＣ１すなわち熱線ＨＷの抵抗と二本の配線ケーブルＣ１の抵抗の直列接続とし、その熱線ＨＷをスリーブＳの先端部に固定するとともに配線ケーブルＣ１をスリーブＳ内に通してプローブＰを構成し、その熱線ＨＷのコイルの軸線方向をスリーブＳの軸線方向と一致させることで、熱線ＨＷを図中矢印で示す流体の流れ方向ＦＬと交差する方向に延在させて流体内に配置して、抵抗ブリッジからの通電により発熱させ、流体の流速に比例した熱線ＨＷの冷却による抵抗変化をブリッジドライブ回路ＢＤで電流変化として計測することで、流体の流速を測定するものである。
【００１６】
しかしてこの実施形態の熱線流速計では特に、抵抗ブリッジを組んだ４つの抵抗Ｒ１，Ｒ２，Ｒ３，Ｒ４のうち、同一極であるグランド側の２つの抵抗Ｒ３，Ｒ４のうちの他の一つである抵抗Ｒ４を、先端に熱線ＨＷを繋いだ配線ケーブルＣ１に沿わせてその熱線ＨＷの近くまでスリーブＳ内で延在させた、先端を回路的に閉じた配線ケーブルＣ２すなわち二本の配線ケーブルＣ１の抵抗の直列接続としている。なお、熱線ＨＷは、例えば白金線の表面に薄い絶縁樹脂皮膜をコーティングしたものとし、配線ケーブルＣ１，Ｃ２もそれぞれ、例えば銅線やチタン線の等の導電性金属線の表面に薄い絶縁樹脂皮膜をコーティングしたものとしている。
【００１７】
かかる実施形態の熱線流速計にあっては、抵抗ブリッジの同一極側の２つの抵抗Ｒ３，Ｒ４のうちの一つである抵抗Ｒ３を、先端に熱線ＨＷを繋いだ配線ケーブルＣ１を含むものとするとともに、抵抗ブリッジの同一極側の２つの抵抗Ｒ３，Ｒ４のうちの他の一つである抵抗Ｒ４を、先端に熱線ＨＷを繋いだ配線ケーブルＣ１に沿わせてその熱線ＨＷの近くまで延在させた、先端を回路的に閉じた配線ケーブルＣ２を含むものとしたため、その熱線ＨＷを流れ方向と交差する方向に延在させて流体内に配置して通電により発熱させ、流体の流速を測定する際に、配線ケーブルＣ１と配線ケーブルＣ２とが互いに同程度に流体等の外部環境の影響をノイズとして受けて抵抗値を変化させるので、抵抗ブリッジ内でそれらのノイズが実質的に相殺される。
【００１８】
従って、この実施形態の熱線流速計によれば、細管内の流体の流速等の計測のためにプローブＰの全体をきわめて細く形成した場合でも、先端に熱線ＨＷを繋いだ配線ケーブルＣ１が受けるノイズの影響を殆どもしくは全くなくして、流体の流速を高精度に測定することができる。
【００１９】
図１（ｂ）は、本発明の熱線流速計の他の一実施形態を模式的に示す説明図であり、この実施形態では、先端に熱線ＨＷを繋いだ二本の配線ケーブルＣ１のうちの一本を、先端を回路的に閉じた二本の配線ケーブルＣ２のうちの一本と共用にして、スリーブＳ内に延在させる配線ケーブルを三本にしたものであり、このようにしても先の実施形態と同様にノイズの影響を除去する作用効果を得ることができ、しかもこの実施形態によれば配線ケーブルの本数が減るので、スリーブＳをより細く構成することができる。
【００２０】
図２（ａ）は、上記実施形態の熱線流速計を適用した、本発明の血流速計の一実施形態を模式的に示す説明図、図２（ｂ）は、図２（ａ）中のカテーテル型プローブの先端部を含むＡ部を拡大して示す側面図、図２（ｃ）は、図２（ａ）中のカテーテル型プローブのスリーブを含むＢ部を拡大して示す縦断面図であり、図中、先の実施形態と同様の部分はそれと同一の符号にて示す。
【００２１】
すなわち、この実施形態の血流速計は、後述する図５に示すように、抵抗ブリッジを組んだ４つの抵抗Ｒ１，Ｒ２，Ｒ３，Ｒ４のうちのグランド側の一つである抵抗Ｒ３を、先端に熱線ＨＷを繋いだ配線ケーブルＣ１とそれに直列接続した補助抵抗Ｒ３’、すなわち熱線ＨＷの抵抗と二本の配線ケーブルＣ１の抵抗と補助抵抗Ｒ３’との直列接続とし、その熱線ＨＷを血液の流れ方向と交差する方向に延在させて血管内の血流内に配置して通電により発熱させ、血流速に比例した熱線ＨＷの冷却による抵抗変化を計測することで血流速を測定するものである。
【００２２】
そして、この実施形態では特に、抵抗ブリッジを組んだ４つの抵抗Ｒ１，Ｒ２，Ｒ３，Ｒ４のうちのグランド側の他の一つである抵抗Ｒ４を、先端に熱線ＨＷを繋いだ配線ケーブルＣ１に沿わせてその熱線ＨＷの近くまで延在させた、先端を回路的に閉じた配線ケーブルＣ２とそれに直列接続した補助抵抗（図示例では可変抵抗）Ｒ４’、すなわち二本の配線ケーブルＣ１の抵抗と補助抵抗Ｒ４’との直列接続とし、血管内に挿入されるスリーブＳ内に先端に熱線ＨＷを繋いだ配線ケーブルＣ１と先端を閉じた配線ケーブルＣ２とを収容するとともに、スリーブＳの先端部を液密に封止する先端が丸まった絶縁樹脂製チップＴ内に熱線ＨＷを封入することで熱線ＨＷをそのスリーブＳの先端部に絶縁状態で配置して、カテーテル型プローブＰを構成している。なお、補助抵抗Ｒ３’，Ｒ４’は、抵抗ブリッジの平衡状態の調整や抵抗Ｒ３，Ｒ４の抵抗値の設定等に用いられる。
【００２３】
図３（ａ）は、図２（ｂ）中の先端部の構成例を拡大して示す縦断面図、図３（ｂ）は、図２（ｃ）中のスリーブの構成例を拡大して示す斜視図、図３（ｃ）は、図２（ｃ）中の配線ケーブルの構成例を拡大して示す縦断面図であり、また図４（ａ）は、図２（ｃ）中のスリーブ内の配線ケーブルの配置例を拡大して示す横断面図、図４（ｂ）は、その配線ケーブルの構成例を拡大して示す横断面図である。
【００２４】
図３（ａ）に示すように、この実施形態における熱線ＨＷは、例えば直径１０μｍの白金細線を隙間を空けてコイル状に巻くとともにそのコイルの軸線方向一端部から白金細線の両端部を引き出したものであり、また図３（ｂ）に示すように、この実施形態におけるスリーブＳは、例えば直径８０μｍのステンレス線をコイルバネ状に密巻きして外径３６０μｍで内径２００μｍの可撓性の筒状に形成したものであり、そして図３（ｃ）に示すように、配線ケーブルＣ１，Ｃ２は各々、例えば直径５０μｍのチタン線ＴＷの表面にフッ素樹脂としてのトリテトラフルオロエチレン（商標名テフロン）の１０〜２０μｍ厚のコーティングＴＣを施したものである。
【００２５】
ここで、図４（ａ）に示すように、二本ずつ合計四本の配線ケーブルＣ１，Ｃ２は、スリーブＳ内に互いに隣接して収容され、このとき、図４（ｂ）に示すように、テフロンコーティングＴＣの厚さを１０μｍとすると、合計四本の配線ケーブルＣ１，Ｃ２の最大径は１４９，９μｍとなるので、四本の配線ケーブルＣ１，Ｃ２は、内径２００μｍのスリーブＳ内に遊びを持って円滑に挿通でき、また、スリーブＳは配線ケーブルＣ１，Ｃ２との摺接による摩擦で妨げられずに、自由に撓み変形して血管内の所望の部位まで挿入されることができる。
【００２６】
図５は、上記実施形態の血流速計の回路構成を示す説明図であり、この実施形態の血流速計では、４つの抵抗Ｒ１，Ｒ２，Ｒ３（＝ＨＷ＋２Ｃ１＋Ｒ３’），Ｒ４（＝２Ｃ２＋Ｒ４’）からなる上述した抵抗ブリッジの、血流の流速に比例した熱線ＨＷの冷却による抵抗変化をブリッジドライブ回路ＢＤで電流変化として計測し、そのブリッジドライブ回路ＢＤのアナログ出力信号をＡ／Ｄコンバーターでデジタル出力信号に変換して中央処理ユニット（ＣＰＵ）に入力し、そのＣＰＵで図示しないメモリ中のプログラムに基づき演算処理することで、上記デジタル出力信号を、血流速を示す信号に変換して出力する。
【００２７】
この回路構成のうち、カテーテル型プローブＰを構成する熱線ＨＷおよび四本の配線ケーブルＣ１，Ｃ２を除く部分は、図２（ａ）に示す、カテーテル型プローブＰの基端部に固定された血流速計の本体ＭＢ内のプリント基板に実装されており、その本体ＭＢ内のプリント基板には、血流速を示す信号を出力する信号出力端子と、外部から電源を入力する電源入力端子とが設けられている。
【００２８】
なお、この本体ＭＢはそれ自体を、信号出力端子と電源入力端子とを持つコネクターとして形成してもよく、このようにすれば、対応するソケットへの接続により容易に外部からの電源供給と外部への信号の取り出しとを行うことができる。
【００２９】
また、図２（ａ）に示す例では、カテーテル型プローブＰの基端部に本体ＭＢが固定されているが、代わりに図２（ｄ）に示すように、カテーテル型プローブＰの基端部に本体ＭＢがコネクターＣＮを介して着脱可能に結合され、スリーブＳ内の四本の配線ケーブルＣ１，Ｃ２がそのコネクターＣＮを介して本体ＭＢ内のプリント基板に着脱可能に接続されていてもよく、このようにすれば、本体ＭＢを残してカテーテル型プローブＰだけを容易に交換することができる。
【００３０】
この実施形態の血流速計にあっては、抵抗ブリッジの同一極であるグランド側の２つの抵抗Ｒ３，Ｒ４のうちの一つである抵抗Ｒ３を、先端に熱線ＨＷを繋いだ配線ケーブルＣ１とそれに直列接続した補助抵抗Ｒ３’、すなわち熱線ＨＷの抵抗と二本の配線ケーブルＣ１の抵抗と補助抵抗Ｒ３’との直列接続とするとともに、抵抗ブリッジの同一極であるグランド側の２つの抵抗Ｒ３，Ｒ４のうちの他の一つである抵抗Ｒ４を、先端に熱線ＨＷを繋いだ配線ケーブルＣ１に沿わせてその熱線ＨＷの近くまで延在させた、先端を回路的に閉じた配線ケーブルＣ２とそれに直列接続した補助抵抗Ｒ４’、すなわち二本の配線ケーブルＣ１の抵抗と補助抵抗Ｒ４’との直列接続としたため、血管内に挿入されるスリーブＳ内に先端に熱線ＨＷを繋いだ配線ケーブルＣ１と先端を閉じた配線ケーブルＣ２とを収容するとともに熱線ＨＷをそのスリーブＳの先端部に絶縁状態で配置してカテーテル型プローブＰを構成し、その熱線ＨＷを血流方向と交差する方向に延在させて血管内に配置して通電により発熱させ、血流速に比例した熱線の冷却による抵抗変化を計測することで血流速を測定する際に、配線ケーブルＣ１と配線ケーブルＣ２とが互いに同程度に血流等の外部環境の影響をノイズとして受けるので、抵抗ブリッジ内でそれらのノイズが実質的に相殺される。
【００３１】
従って、この実施形態の血流速計によれば、プローブ全体をきわめて細く形成してカテーテル型プローブＰを構成した場合でも、先端に熱線ＨＷを繋いだ配線ケーブルＣ１が受けるノイズの影響を殆どもしくは全くなくして、血流速を高精度に測定することができる。
【００３２】
さらに、この実施形態の血流速計によれば、配線ケーブルＣ１，Ｃ２はテフロンコーティングＴＣを施したチタン線ＴＷであることから、コーティングＴＣの低摩擦性により配線ケーブルＣ１，Ｃ２がスリーブＳ内で円滑に動けるためカテーテル型プローブＰの血管内への挿入が円滑になるとともに、コーティングＴＣの絶縁性により配線ケーブルＣ１，Ｃ２同士の短絡も防止することができる。また、この実施形態の血流速計によれば、スリーブＳは、コイルバネ状ステンレス線からなることから、スリーブＳの柔軟性によりカテーテル型プローブＰの血管内への挿入が円滑になるとともに、スリーブＳの耐食性により血液でのプローブＰの腐食も防止することができる。
【００３３】
図６は、図２（ｃ）に示すスリーブＳ内の配線ケーブルの一変形例を拡大して示す斜視図であり、この変形例では、スリーブＳ内の４本の配線ケーブルＣ１，Ｃ２をツイスト線（縒り線）としている。この変形例によれば、先端に熱線を繋いだ配線ケーブルＣ１と先端を閉じた配線ケーブルＣ２とがスリーブＳ内で互いに密接して、それらの配線ケーブルＣ１，Ｃ２が受ける血流等の外部環境の影響がより良く一致するようになり、抵抗ブリッジ内で配線ケーブルが受けるノイズをより有効に相殺することができる。なお、この配線ケーブルＣ１，Ｃ２をツイスト線（縒り線）とする構成は、図１に示す先の実施態様の熱線流速計にも適用することができる。
【００３４】
以上、図示例に基づき説明したが、この発明は上述の例に限定されるものでなく特許請求の範囲の記載範囲内で適宜変更し得るものであり、例えばこの発明の熱線流速計は、例えばラジエターコア内の冷却管等の細管内の流体の流速の直接計測にも用いることができる。
【００３５】
また、この発明の血流速計においては、例えばカテーテル型プローブＰの先端部の絶縁樹脂製チップＴの形状を、熱線ＨＷのコイル内や螺旋状の熱線ＨＷの周囲を血流が通過するように、先端部と外周部とに開口を持つ筒状に形成してもよく、図１（ｂ）に示すと同様に、二本の配線ケーブルＣ１のうちの一本を、二本の配線ケーブルＣ２のうちの一本と共用にして、スリーブＳ内に延在させる配線ケーブルを三本にしてもよい。
【００３６】
さらに、この発明の血流速計においては、例えばカテーテル型プローブＰのスリ−ブＳ内に、配線ケーブルＣ１，Ｃ２に沿わせて一本または複数本の偏向ワイヤーを配置し、その偏向ワイヤーの先端部をスリ−ブＳの先端部に接続するとともに基端部をハンドルやレバー等で押し引き可能にすることで、血管内でカテーテル型プローブＰの先端部の向きを血管に沿うように変更可能にしてもよい。
【００３７】
さらに、上記各実施形態では同一極側としてのグランド（負極）側の二つの抵抗Ｒ３，Ｒ４のうちの一つを、先端に熱線を繋いだ配線ケーブルを含むものとし、他の一つを先端に熱線を繋いだ配線ケーブルに沿わせてその熱線の近くまで延在させた、先端を回路的に閉じた配線ケーブルを含むものとしたが、この発明の熱線流速計および血流速計においては、同一極側としての正極側の二つの抵抗Ｒ１，Ｒ２のうちの一つを、先端に熱線を繋いだ配線ケーブルを含むものとし、他の一つを先端に熱線を繋いだ配線ケーブルに沿わせてその熱線の近くまで延在させた、先端を回路的に閉じた配線ケーブルを含むものとしてもよく、それらを組み合わせてもよい。
【００３８】
そして、この発明の熱線流速計および血流速計においては、各部材の構成材料は、上記実施形態におけるものに限定されず、所要に応じて適宜変更することができる。
【産業上の利用可能性】
【００３９】
かくしてこの発明の熱線流速計によれば、細管内の流体の流速等の計測のためにプローブ全体をきわめて細く形成した場合でも、先端に熱線を繋いだ配線ケーブルが受けるノイズの影響を殆どもしくは全くなくして、流体の流速を高精度に測定することができる。【００４０】
また、この発明のこの発明の血流速計によれば、プローブ全体をきわめて細く形成してカテーテル型プローブを構成した場合でも、先端に熱線を繋いだ配線ケーブルが受けるノイズの影響を殆どもしくは全くなくして、血流速を高精度に測定することができる。
【符号の説明】
【００４１】
Ｃ１，Ｃ２  配線ケーブル
ＣＮ  コネクター
ＦＬ  流れ方向
ＨＷ  熱線
ＭＢ  本体
Ｐ  プローブ
Ｒ１〜Ｒ４  抵抗
Ｒ３’，Ｒ４’  補助抵抗
Ｓ  スリーブ
ＴＣ  テフロンコーティング
ＴＷ  チタン線
【図１】
2015125289.tif 000003
【図２】
2015125289.tif 000004
【図３】
2015125289.tif 000005
【図４】
2015125289.tif 000006
【図５】
2015125289.tif 000007
【図６】
2015125289.tif 000008
【国際調査報告】
2015125289.tif 000009
2015125289.tif 000010
2015125289.tif 000011
2015125289.tif 000012